Podtech/llm-jp-corpus-v4-ja_patent huggingface dataset:
(57)【要約】【課題】アイマスク着用時には外部が見えない為、睡眠から覚めた時に周囲の状況が判らずに強い不安を感じたり、不測の事態に対して即座に対応できない場合がある。また、アイマスクで眼部周辺を覆うことにより、湿気や汗の蒸れによる不快感を感じる場合がある。【解決手段】アイマスクの全面或は眼部に接する部分をメッシュ構造の生地で構成する事により、外部の光を軽減しアイマスク本来の機能を保持しつつ、外部の視認性をも有する。かつ、着用状態での蒸れなどによる不快感を軽減する事の出来るアイマスクを提供する。【選択図】図１
2007021020.tif 000002
【特許請求の範囲】
【請求項１】
片眼或は両眼を覆うアイマスクにおいて、その全面又は一部をメッシュ構造の生地で
構成されるアイマスク。
【発明の詳細な説明】
【技術分野】
【０００１】
本発明は、アイマスクに関するものである。
【背景技術】
【０００２】
アイマスクは、眼部への光を遮断することで、睡眠への導入を補助する用具として、
また、安定した睡眠を補助する用具として広く実用されている。
【特許文献１】無し
【非特許文献１】無し
【発明の開示】
【発明が解決しようとする課題】
【０００３】
解決しようとする問題点は、アイマスク着用時には外部が全く見えない為、睡眠から覚めた時に周囲の状況が判らずに強い不安を感じたり、不測の事態に対して即座に対応できない場合がある。
また、アイマスクで眼部周辺を覆うことにより、湿気や汗の蒸れによる不快感を感じる場合がある。
【０００４】
本発明は、アイマスクを着用した状態で、外部の光を軽減するアイマスク本来の機能を保持しつつ、外部の視認性をも有する。かつ、着用状態での蒸れなどによる不快感を軽減する事を特徴とする。
【発明の効果】
【０００５】
本発明のアイマスクは、着用したままの状態で周囲の状況を視認する事が出来るので、睡眠から覚めた時に、アイマスクを外す事無く、即座に周囲の状況を見る事が出来るので、不安を軽減できる。
【０００６】
本発明のアイマスクは、メッシュ構造生地の特性により、着用者は外部を見る事が出来るが、外部からは着用者の目元が見え難いので、着用者は安心して目を開け、また閉じる事ができる。
【０００７】
本発明のアイマスクは、従来の綿やポリエステル、ナイロン等で構成される生地で作られたアイマスクと比較して、非常に高い通気性を持つので、アイマスク着用時の蒸れによる不快感を軽減する事が出来る。
【発明を実施するための最良の形態】
【０００８】
アイマスクの全面或は眼部に接する部分をメッシュ構造の生地で構成する。
【実施例１】
【０００９】
図１は、アイマスクの全面をメッシュ構造の生地で構成した実施例である。
【図面の簡単な説明】
【００１０】
【図１】アイマスクの全面をメッシュ構造の生地で構成した実施方法を示した説明図である。（実施例１）
【符号の説明】
【００１１】
a    アイマスク本体
b    アイマスク装着用紐
【図１】
2007021020.tif 000003
(57)【要約】      （修正有）【課題】生卵の黄身と白身の分別することができるオタマ杓子の提供。【解決手段】オタマ杓子の中央に丸い窪みを設け、窪みに黄身だけを残し、窪みの周りに数箇所の穴を設け、白身を排出し、黄身を取り出す黄身通し口を設け，取手は持ち易く勾配をつけて設け、黄身と白身を分別する道具。【選択図】  図１
2007021129.tif 000002
【特許請求の範囲】
【請求項１】
オタマ杓子の中央に卵の黄身が半分位入る窪みを設け、黄身だけを窪みに残し、窪みの周りに数箇所穴を設け、穴より白身を排出し、残つた黄身は黄身通し口を設けて他に移し、取手は勾配をつけて持ち易くし、黄身と白身を楽に分別する事を特徴とした道具。
【発明の詳細な説明】
【技術分野】
【０００１】本発明は、卵を黄身と白身に分別する道具である。
【背景の技術】
【０００２】従来、卵を黄身と白身に分別するには卵を二つに割つて左手と右手で卵の中身を交互に移動させて黄身と白身に分別した。
【発明の開示】
【発明が解決しようとする課題】
【０００３】その為に、次のような問題点があつた。
（イ）      卵を二つに割つて黄身と白身を左右の手で交互に移動させて分別していたのて時間がかかつた。
（ロ）      卵の殻は硬い殻ばかりでなく軟らかい殻もあるので、つぶれやすく馴れた人でもしくじる事がある。
本発明は、これらの問題点を解決するためになされたものだで。ある
【課題を解決するための手段】
【０００４】オタマ杓子状で中央に卵の黄身半分位入る窪みを設け黄身を残し白身を分けるために窪みの周りに数箇所の穴を設けて白身を素早く排出し，黄身と白身を分別する事を特徴とした道具。
【発明の効果】
【０００５】ボウル等の入れ物に卵を割つて数個叉は数１０個を入れオタマ杓子で黄身と白身を一緒に掬うと白身は丸い窪みの周りの数箇所の穴を通過してボウルの中に落ちて、黄身だけがオタマ杓子の窪みに残り、黄身だけ黄身出し口より取出し、素早く黄身と白身を分別することができる。
【発明を実施するための最良の形態】
【０００６】以下、本発明の実施の形態について説明する。
（イ）      卵を掬う部分（１）は普通のオタマ杓子のサイズと同じである、取手（４）は手に持ち易く掬い易い形態にしてある。
（ロ）      中央に卵の黄身だけが入る丸い窪み（２）を設けて、黄身だけをオタマ杓子の窪みに残して白身は排出する。
（ハ）      中央の窪みの周りに数箇所の穴（３）を設けて、白身を下の卵の入つたポウルの中に排出する。
（ニ）      黄身を他のボウル等に移す為の黄身通し（５）。
本発明は以上のような構成でこれを使用するときは、卵をボウル等の入れ物に卵を数個又は数１０個割つて入れておきオタマ杓子（１）で黄身も白身も一緒に掬つて持ち上げると黄身は窪み（２）に残り、白身は窪みの周りの数箇所の穴（３）より抜けてボウルの中に落ち黄身だけがオタマ杓子に残り、数秒で分別する事が出来る。
【図面の簡単な説明】
【０００７】
【図１】本発明の斜視図
【図２】本発明の上面図
【図３】本発明の実施例を示す斜視図
【符号の説明】
【０００８】１                本体オタマ杓子
２                黄身の入る窪み
３                白身の抜ける穴
４                取手
５                黄身通し
【図１】
2007021129.tif 000003
【図２】
2007021129.tif 000004
【図３】
2007021129.tif 000005
(57)【要約】【課題】従来のケトルベルは完全に一体型だったため、異なる重量でトレーニングするためには、いくつものケトルベルを所持しなければならず、収納場所や費用にかなりの負担を強いられていた。【解決手段】  ケトルベルの内部に空洞部分を設け、空洞部分と外部をつなぐウエイト注入口に開閉可能な蓋を付け、液体や砂、金属、石などを空洞内部に入れ、重量を変化させることができることを特徴としたケトルベルを使用する。【選択図】      図１
2007021122.tif 000002
【特許請求の範囲】
【請求項１】
ケトルベルの内部に空洞部分を設け、空洞部分と外部をつなぐウエイト注入口に開閉可能な蓋を付け、液体や砂、金属、石などを空洞内部に入れ、重量を変化させることができることを特徴としたケトルベル。
【請求項２】
石、金属、プラスチック、木材、陶器、ガラスなどのいずれかを材料とした、請求項１記載のケトルベル。
【請求項３】
表面に弾力性のあるものを使用した請求項１記載のケトルベル。
【発明の詳細な説明】
【技術分野】
【０００１】本発明はケトルベルというウエイトトレーニング機器に関するものでありウエイト部分に空洞を設け、その内部に水などを注入することにより重量を調節することができるようにしたものである。
【背景技術】
【０００２】従来のケトルベルは金属でできた完全に一体型のもので、把持部に溶接されたウエイト部がぶら下がっている形状をしている。
【非特許文献１】著者不明、「２００４年アイアンマン１０月号増刊  本物のパワーを手に入れろ！Ｍｉｋｅ  Ｍａｈｌｅｒ’ｓケトルベル・トレーニングマニュアル」発行所  株式会社フィットネススポーツ、２００４年１０月１２日発行、Ｐ１〜Ｐ１１３
【発明の開示】
【発明が解決しようとする課題】
【０００３】従来のケトルベルはウエイト機器として完全に一体型だったため、異なる重量でトレーニングするためには、いくつものケトルベルを所持しなければならず、収納場所や費用にかなりの負担を強いられているという不都合を解決することを課題とする。
【課題を解決するための手段】
【０００４】ケトルベルの内部に空洞部分を設け、空洞部分と外部をつなぐウエイト注入口に開閉可能な蓋を付け、液体や砂、金属、石などを空洞内部に入れ、重量を変化させることができることを特徴としたケトルベルを使用する。
【発明の効果】
【０００５】ウエイト注入式ケトルベルの発明により、重量の異なるトレーニングをするために、複数の重量の違う一体型ケトルベルを何体も所持するよりも、一台のウエイト注入式ケトルベルを使用するほうが、収納場所や費用の削減ができ、様々な重量のトレーニングができる。また、ケトルベル空洞内部でのウエイトの流動が振動となって筋肉に伝わり、トレーニングの強度が増す。
【発明を実施するための最良形態】
【０００６】プラスチックでできた、ウエイト注入式ケトルベルの注入口から水を空洞内部に入れ蓋を閉め、適度に重量を変化させ、様々な重量でトレーニングする。
【０００７】金属でできたウエイト注入式ケトルベルに、金属、石、または砂を空洞内部に入れ、適度に重量を変化させ、様々な重量でトレーニングする。
【図面の簡単な説明】
【０００８】
【図１】ウエイト注入式ケトルベルの正面図である。
【符号の説明】
【０００９】１  把持部
２  空洞部
３  蓋
４  ウエイト注入口
【図１】
2007021122.tif 000003
(57)【要約】      （修正有）【課題】生卵の黄身と白身とを簡単に短時間で分別できる、調理用手道具を提供する。【解決手段】生卵一個分を収容できる中華鍋状の小型の容器１に、取手２と反対側に引掛具３を設ける。さらに、容器１の安定を維持し中央部に卵の半分位納まる窪み４を設け、白身が排出出来る穴５を黄身が入る窪み４の周りに数箇所設ける。黄身は容器１に残し、白身は穴５から外部に排出し、黄身の取出し口６を設け、黄身と白身を分別する事を特徴とした道具。【選択図】図１
2007021128.tif 000002
【特許請求の範囲】
【請求項１】
中華鍋状の容器に取手を設け、容器の中央に卵の黄身が半分位入る丸い窪みを設けて、黄身が入るようにし、窪みの周りに白身が排出できる穴数箇所設ける、取手の反対側に本体を食器類に乗せたときに動かぬ為の引掛具を設ける、卵を二つに割って中央に入れると黄身は丸い窪みに残り、白身は窪みの周りの数箇所の穴を通過して下の食器類に納まり、黄身と白身を分離する事を特徴とした道具である。
【発明の詳細な説明】
【技術分野】
【０００１】本発明は卵の黄身と白身を分別する道具である。
【背景技術】
【０００２】従来、卵の黄身と白身を分別するには卵を二つに割って左手に中身の入った殻と右手の中身のない殻と交互に中身を移動させて黄身と白身を分別した。
【発明の開示】
【発明が解決しようとする課題】
【０００３】その為に、次のような問題点があった。
（イ）      卵を二つに割って中身を左手の殻から右手の殻に右手からまた左手に交互に繰りかえして時間をかけて黄身と白身を分別していた。
（ロ）      卵の中身が入った殻と中身のない殻を交互に出し入れしていると中身を落としたり、床や着ている物を汚したりした。
本発明はこれらの問題を解決する為になされたものである。
【課題を解決するための手段】
【０００４】中華鍋状にした容器に取手と反対側に食器等のふちに架ける為の引掛部分を設け、容器の中央に卵の黄身が半分位入る丸い窪みを設け、その周りに白身を排出する為の穴を数箇所設け、卵を割って中央に入れると卵の黄身は中央の丸い窪みに残り、白身は数箇所の穴を抜けて本容器の下の食器等の入れ物に排出され、卵の黄身と白身を分別する事を特徴とした道具である。
【発明の効果】
【０００５】卵を二つに割って中華鍋状の容器の中央に卵を落とすと黄身は中央の丸い窪みに入り安定し、白身は丸い窪みの周りの数箇所の排出穴から本容器の下にある食器等に排出されて、卵の黄身だけが中央の丸い窪みに残り時間的には数秒で卵の黄身と白身を分別する事が出来た。
【発明を実施するための最良の形態】
【０００６】（イ）      中華鍋状の容器（１）に取手（２）と反対側に他の食器等の上に乗せたとき動いて落ちないように引掛部分（３）を設け安定させる。
（ロ）      本容器（１）の中央に卵黄身が半分位入れる丸い窪み（４）を設ける。
（ハ）      中央の卵の黄身受け（４）の周りに数箇所白身が楽に本体（１）の下にある食器等などに排出できる穴（５）を設ける。
（ニ）      本容器（１）のふちに取手（２）と引掛部分（３）の中間に卵の黄身を取り出しやすいように斜めに口（６）を設ける。
本発明は以上のような構成で、これを使用するときは。
本容器を卵の白身を受ける食器等の上に引掛部分（３）を食器等の端しに掛けてずれない様にし、卵を二つに割って中央の窪み（４）に卵の黄身が入るように落とすと卵の黄身は中央の窪み（４）に残り、白身は中央のく窪み（４）の周りの穴数箇所（５）より落ちて食器等の容器に入り、黄身は取り出し口（６）より取り出し黄身と白身を数秒で分別する事が出来る。
【図面の簡単な説明】
【０００７】
【図１】本発明の斜視図
【図２】本発明の上面からの斜視図
【図３】本発明の実施例を示す図
【符号の説明】
１            卵の黄身分別器本体
２            取手
３            引掛部
４            黄身の入る窪み
５            白身が抜ける穴
６            黄身の取り出し口
【図１】
2007021128.tif 000003
【図２】
2007021128.tif 000004
【図３】
2007021128.tif 000005
(57)【要約】      （修正有）【課題】患者の小便、小便漏れを防ぎ、清潔で心からの健康を守り尚且つ安全な患者用小便取水排水具を提供する。【解決手段】ゴムの伸縮を利用して、小便の取水部（１）と排水部（２）を一体として患者の性器に取り付けて、パンツ前部分に貯蔵場所を設置し、小便を溜めおく袋を貯蔵場所に入れ、排水部（２）を利用して小便を溜めておく。また寝る時は患者の性器に小便取水部（１）と排水部（２）を一体として取り付け排水部（２）を利用して、ベッド下の小便貯蔵タンクへパイプを継ぐ。【選択図】図１
2007021125.tif 000002
【特許請求の範囲】
【請求項１】
ゴムの伸縮を利用して患者の性器に取り付け、小便取水部（１）と取水部の先端に小便を排水させる排水部（２）を一体とし患者の小便を漏らさず排水させる患者用小便取水排水具。
【発明の詳細な説明】
【技術分野】
【０００１】この発明は、患者の小便を外部に漏らさずに、性器に一体と取り付け小便取水その先端より排水させる事ができる。患者用小便取水排水具に関するものである。本品は避妊具に似ているが、性能や性質は全く別の働きをさせる具で、避妊具は精液を外部に漏らさずに中に溜めておく為の具で、又エイズ等から自分を守る具です
【背景技術】
【０００２】従来、看護を必要と患者や、患者は寝る時、外出時等小便、小便漏れはおむつを使用しているが、おむつに一定量を超えた時、オムツが股間からずれた時、外出先で股間、下半身を濡らして歩いている人を見たり、患者が布団等寝具を小便で濡らし股間を汚し、患者の体温を下げ体力を奪い、病気の元となりやすく不潔な臭いや周囲の困惑等外出を妨げて患者のストレス、介護人のストレス、労力の負担になっていた。
【発明の開示】
【発明が解決しようとする課題】
【０００３】これには次のような欠点があった。
（イ）外出、生活でおむつを使用していたが、小便が一定量を越した時歩きながら股間からずれた時パンツを濡らし、下半身を汚し悪臭、周囲の困惑等患者の体を冷やし、体力を奪い病気の元になりやすく、介護人の苦労等患者本人が気にして外出を困難にさせ体力を低下させた。
（ロ）寝たきり患者や、患者が寝る時もおむつを使用しているが、介護人が取替え遅れた時、患者自身に取替えが体力がなく出来ない時等、小便が一定量を超えたり、おむつが寝返り等でずれた時小便が外部、寝具等を濡らして汚し患者が自信をなくしストレスや体力の低下になりやすい。又、寝たきり患者のおむつ内で大便に小便が混ざればなお困難になり、介護人の労力、苦労となり時には自殺者を出す事等の原因となっていた。
（ハ）患者を清潔にするのにおむつを取り替える。おむつ代の負担になっていた。
【課題を解決するために】
【０００４】患者の性器に小便取水部（１）と排水部（２）を一体としてゴムの伸縮性を利用して取り付け性器を取水部（２）の中に入れ、小便を外部に漏らさずに小便出口に排水部（２）を利用して排水させる事ができる。
外出時や生活ではパンツ（下着）前部分に貯蔵場所を設け、小便漏れを溜めておく袋をその中に入れて患者の性器に取り付けた小便取水部（１）排水部（２）の排水部を利用して貯蔵場所内の小便、小便漏れを溜めておく袋へ継ぎ外部に漏らさず溜めておき、取替えも自由に簡単にできトイレでは患者の性器に取り付けたままパンツ外部に出し用が足せる。
なお、パンツ前部分の貯蔵場所の設置は、もう一枚のパンツ前部分を同じようにして袋入りを作り小便の溜める袋も取替え自由に考えてある。
寝る時は、患者の性器に小便取水部（１）排水部（２）を一体として取り付け排水部（２）を利用してベッド下の小便貯蔵タンク、又は排水溝や下水口へパイプを継ぎ外部に漏らさずに排水させる事ができる。
なお、ベッドの上のパイプはゆとりの長さを持ち、パイプをベッド横で固定した。
本発明は以上のような構成による患者用小便取水排水具である。
【発明の効果】
【０００５】患者用小便取水排水具は、避妊具ににているが、使い方は全く別の働きをさせる具で避妊具は精液を漏らさず溜めておき、エイズやその他の病原体を防ぐ具であるが本品は患者の性器に小便取水部（１）と排水部（２）を一体として取り付け外部に漏らさずに患者の小便を排水させて清潔にする患者用小便取水排水具であり、外出時や一般の生活においては小便、小便漏れをパンツ（下着類）の前部分に貯蔵場所を設けて溜めておき、行動の自由度によって小便を入れる袋を取替え自由にトイレでも小便を簡単に性器に取り付けたまま用が足せる。患者本人が小便漏れを気にせずに外出に、会合に、異性と会う喜びや人間らしさを取り戻す手助けをできると思います。
寝たきり患者や患者自身が寝る時は患者用小便取水部（１）排水部（２）を一体として性器に取り付け排水部（２）を利用して、ベッド下の小便貯蔵タンク、又は排水溝や下水口へパイプを継ぎ、外部に漏らさず寝具等、パンツ（下着類）、股間を濡らさずに小便を排水流すことができ、寝たきり患者にはおむつと併用して患者の性器に同じように取り付け排水部（２）を利用してパイプをおむつの性器上部辺りにパイプを出す穴を開け排水部に継ぎパイプでベッド下へ排水流しおむつの内部の大便と混合させずに小便を区別させることが困難な状態を防ぐ事ができる。小便取水排水具もタンクやパイプ小便入れ袋等も洗浄殺菌しゴムの伸縮度で何度も可能で負担も軽く患者、介護人のストレスや労力等から守る事が出来る。
【発明を実施する為の最良の形態】
【０００６】以下、本発明の実施例について説明する。
患者の性器に、ゴムの伸縮性を利用して小便取水部（１）と排水部（２）を一体として取り付け排水部（２）を患者の小便出口へ排水部（２）を利用して小便を漏らさず濡らさずパンツ（下着類）を清潔にする為、外出や生活においてパンツ（下着類）前部分に小便を貯蔵する場所を設けて小便を溜める袋へ排水部（２）を継ぎ外部に漏らさずに小便を溜めておき行動の自由度で小便を溜めておく袋の取替えを行いトイレでは性器に小便取水排水具を取り付けたまま小便貯蔵袋から排水部（２）を取り出して小便の用が足せる。外出先でも貯蔵袋は取り替えも自由簡単に行えるように考案。寝る時も性器に患者用小便取水部（１）と排水部（２）を一体として取り付け排水部（２）をパイプに継ぎ、継ぎ目を防水テープで巻いてベッド下の小便貯蔵タンクへ排水溝や下水口へ小便を外部に漏らさずに排水流すことができる。小便取水排水具はゴムの伸縮度を見て何度でも洗浄殺菌して使用ができ、小便を溜めておく袋や貯蔵タンク、パイプも同様に使用可能でおむつ代の負担を軽くすることができた。
【図面の簡単な説明】
【０００７】
【図１】本発明の患者用小便取水排水具の斜視図と性器に取り付けた部分構成図である。
【図２】本発明の患者用小便取水排水具を、患者の性器に取り付けたパンツ（下着類）との部分構成図である。
【図３】本発明の患者用小便取水排水具を、患者の性器に取り付けて、ベッド下のタンクへパイプを継ぐ部分構成図である。
【符号の説明】
【０００８】  １  小便取水部
２  小便排水部
【図１】
2007021125.tif 000003
【図２】
2007021125.tif 000004
【図３】
2007021125.tif 000005
(57)【要約】【課題】従来のケトルベルは完全に一体型だったため、異なる重量でトレーニングするためには、いくつものケトルベルを所持しなければならず、収納場所や費用にかなりの負担を強いられていた。【解決手段】ケトルベルの底部から内部を抉り取り空洞を設け、把持部下部から内部に突き出た芯にウエイトを通し、止め具で固定することでウエイトを調整でき、重量を変化できることを特徴とするケトルベルを使用することで単体でも様々な重量でのトレーニングが可能になる。【選択図】      図２
2007021123.tif 000002
【特許請求の範囲】
【請求項１】
ケトルベルの底部から内部を抉り取り空洞を設け、把持部下部から内部に突き出た芯にウエイトを通し、止め具で固定することでウエイトを調整でき、重量を変化できることを特徴とするケトルベル。
【請求項２】
ウエイトを固定するための芯を底部や側面部、斜面部から内部に突出させた、請求項１記載のケトルベル。
【発明の詳細な説明】
【技術分野】
【０００１】本発明はケトルベルというウエイトトレーニング機器に関するものであり、ウエイト部分を調節することにより、異なる重量でのトレーニングを可能にしたものである。
【背景技術】
【０００２】従来のケトルベルは金属でできた完全に一体型のもので、把持部に溶接されたウエイト部がぶら下がっている形状をしている。
【非特許文献１】著者不明、「２００４年アイアンマン１０月号増刊本物のパワーを手に入れろ！Ｍｉｋｅ  Ｍａｈｌｅｒ’ｓケトルベル・トレーニングマニュアル」発行所株式会社フィットネススポーツ、２００４年１０月１２日発行、Ｐ１〜Ｐ１１３．
【発明の開示】
【発明が解決しようとする課題】
【０００３】従来のケトルベルはウエイト機器として完全に一体型だったため、異なる重量でトレーニングするためには、いくつものケトルベルを所持しなければならず、収納場所や費用にかなりの負担を強いられているという不都合を解決することを課題とする。
【課題を解決するための手段】
【０００４】ケトルベルの底部から内部を抉り取り空洞を設け、把持部下部から内部に突き出た芯にウエイトを通し、止め具で固定することでウエイトを調整でき、重量を変化できることを特徴とするケトルベルを使用する。
【発明の効果】
【０００５】ウエイト着脱式ケトルベルの発明により、重量の異なるトレーニングをするために、複数の重量の違う一体型ケトルベルを所持する必要はなくなり。収納場所や費用の削減ができ、様々な重量のトレーニングができる。また、ダンベルやバーベル、その他のウエイト器具の重りを活用することができる。
【発明を実施するための最良形態】
【０００６】ケトルベルの底部から内部を抉り取り空洞を設け、把持部下部から内部に突き出た芯にウエイトを通し、止め具で固定することでウエイトを調整でき、重量を変化できることを特徴とするケトルベルを使用することで様々な重量のトレーニングを行うことができる。
【図面の簡単な説明】
【０００７】
【図１】請求項１の正面図である。
【図２】請求項１の縦断面図である
【図３】請求項１の分解図である。
【符号の説明】
【０００８】１  把持部
２  外殻ウエイト部
３  ウエイト部
４  安全ピン
５  ボルト
６  芯部
【図１】
2007021123.tif 000003
【図２】
2007021123.tif 000004
【図３】
2007021123.tif 000005
(57)【要約】【課題】  買い物時に、冷温両方の飲食物を１つのカゴ内に分けて収納できる折りたたみ式買い物カゴを提供する。【解決手段】  折りたたみ式にし、着脱できる天板を用いることで、冷温両方の飲食物を１つのカゴ内に収納できる折りたたみ式買い物カゴ。【選択図】  図１
2007021130.tif 000002
【特許請求の範囲】
【請求項１】
折りたたみ式にし、着脱できる天板を用いることで、冷温両方の飲食物  を１つのカゴ内に収納できる折りたたみ式買い物カゴ。
【発明の詳細な説明】
【技術分野】
【０００１】  本発明は、買い物時に冷たい飲食物と温かい飲食物を１つのカゴ内に収納し持ち運べる折りたたみ式買い物カゴに関するものである。
【背景技術】
【０００２】  従来、コンビニエンスストア等で暖めた弁当と冷たい飲み物を買い物した場合、複数の袋に分けて収納していた。
【発明の開示】
【発明が解決しようとする課題】
【０００３】  持ち運びのために両手が塞がってしまい、また弁当等は袋の中で傾いてしまうことが多い。
本発明は以上の問題点を解決しようとするものである。
【課題を解決するための手段】
【０００４】  着脱式の天板を買い物カゴの上部に取り付けることで、１つのカゴ内に、温かい飲食物は天板の上に、それ以外のものはカゴの下部に分けて収納できる。また、折りたたみ式にすることで、買い物中は店内のカゴに入れて持ち運びでき、精算のときに開けて使用できる。以上を特徴とする折りたたみ式買い物カゴである。
【発明の効果】
【０００５】  本発明は、１つのカゴ内に冷温両方の飲食物を互いに接触することなく分けて収納できる。したがって、複数の買い物袋を持ち運ぶわずらわしさがない。また、暖めた弁当が袋内で傾いてしまうこともなく、持ち運びの際の気遣いも解消される。
【発明を実施するための最良の形態】
【０００６】  以下、本発明の実施の形態を説明する。
（イ）網目状の板、それぞれ横板（２）２枚、底板（３）、表板（７）、裏板（８）及        び天板（１）を用いる。
（ロ）表板（７）と裏板（８）の上部に持ち運び用の取っ手（４）を付ける。
（ハ）表板（７）と裏板（８）に天板取付用具（６）を設置する。天板取付用具（６）        はフック形状とし、先端をゴムで包む。
（ニ）表板（７）には天板収納具（５）を天板（１）の幅・長さに合う位置に取り付け        る。
（ホ）底板（３）には折りたたみ時に指を引っかけて持ち上げるための引っかけ穴（１        １）を設ける。
（ヘ）横板（２）には中央部に折りたたみ支点（１０）を設ける。
（ト）表板（８）下部と底板（３）には、底板固定用具（９）を設ける。
（チ）天板（１）の大きさは、広げた折りたたみ式買い物カゴの幅よりも小さくする。
本発明は、以上の構成よりなっている。
本発明を使用するときは、折りたたんだ状態から表板（７）と裏板（８）を離すように引っ張ることで、横板（２）の折りたたみ支点（１０）を真っ直ぐに伸ばす。
次に底板（３）を下に倒し、表板（７）の底板固定用具（９）に設置する。
最後に天板（１）を天板収納具（５）から取り出し、天板取付用具（６）に取り付ける。
折りたたんだ状態に戻すときは、この手順を逆に行う。
天板（１）を折りたたみ式買い物カゴ内に設置すると、左右どちらかに底板（３）まで通じるスペースが設けられるため、５００ミリリットルサイズ以上の飲料水等の収納が可能となる。
【図面の簡単な説明】
【０００７】
【図１】本発明の斜視図
【図２】本発明の各部分解斜視図（ａ）は、裏板（８）と底板（３）の斜視図  （ｂ）は、横板（２）の斜視図  （ｃ）は、表板（７）の斜視図
【図３】本発明の折りたたみ状態斜視図
【符号の説明】
【０００８】      １．天板
２．横板
３．底板
４．取っ手
５．天板収納具
６．天板取付用具
７．表板
８．裏板
９．底板固定用具
１０．支点
１１．引っかけ穴
【図１】
2007021130.tif 000003
【図２】
2007021130.tif 000004
【図３】
2007021130.tif 000005
(57)【要約】【課題】本考案は、昆虫、ロボット等を使用し、対戦やレース等のさまざまな競技を行い、また観察、研究するための場所に関する対戦用台である。【解決手段】  セル状の素材によって形成された台に、下部空間を有する足または台をつけたことを特徴とする対戦用台。  セル状の台の下部に、餌やメス、カイロ等を設置できるように形成された誘引物、刺激物等の収納部を備えたことを特徴とする対戦用台。  セル状構造物自体あるいは、その周辺部分、またセル状構造物の下部に赤系統の色を施す事を特徴とした対戦用台。【選択図】  図１
2007021133.tif 000002
【特許請求の範囲】
【請求項１】
セル状の素材によって形成された台に、下部空間を有する足または台をつけたことを特徴とする対戦用台。
【請求項２】
セル状の台の下部に、餌やメス、カイロ、ブザー、ライト等を設置できるように形成された誘引物、刺激物等の収納部を備えたことを特徴とする請求項１記載の対戦用台。
【請求項３】
セル状構造物自体あるいは、その周辺部分、またセル状構造物の下部に赤系統の色を施すように形成された事を特徴とした請求項１または２記載の対戦用台。
【発明の詳細な説明】
【技術分野】
【０００１】  本考案は、昆虫、ロボット等を使用し、対戦やレース等のさまざまな競技を行い、また観察、研究するための場所に関する対戦用台である。
【背景技術】
【０００２】  従来、昆虫用等の足の掛かり具合が重要となる土俵は、製品化されているものが少なく全国的に開催される昆虫の相撲大会では、切り株や樹皮を張ったものなどが使用され、サイズ、形状などはバラバラで統一されたものが存在しなかった。また、足掛かりが良過ぎると力学上、昆虫等自体に損傷が起こりやすくなっていた。
【発明の開示】
【発明が解決しようとする課題】
【０００３】  従来の土俵である木の切り株等は、均一なものを入手する事が困難で、しかも重く持ち運びが不便、また樹皮はその種類によって昆虫等の足の掛かり方に大きな差が生じるなど、力学上からくる昆虫自体の損傷や、公平な大会にするには大きな問題があった。
【課題を解決するための手段】
【０００４】  セル状の素材によって形成された台に、下部空間を有する足または台をつけたことを特徴とする対戦用台。
セル状の台の下部に、餌やメス、カイロ、ブザー、ライト等を設置できるように形成された誘引物、刺激物等の収納部を備えたことを特徴とする対戦用台。
セル状構造物自体あるいは、その周辺部分、またセル状構造物の下部に赤系統の色を施す事を特徴とした対戦用台。
【発明の効果】
【０００５】  同じ素材を使って土俵を作成し、昆虫等の足の掛かり方を適度な状態にし軽量化をはかり、しかも昆虫等の闘争本能を刺激する要素の均一化、また温度や光、音による振動、色の波長、風邪、餌のにおいやメスのフェロモン等を利用できる構造にする事で、昆虫等の闘争をよりスムーズにしかも公平に行う事が出来るようにする。適度な足掛かりの良さとは、その足掛かりの良すぎから来る昆虫等自体の損傷を防ぐ事をも可能とする。工業的に生産ができるため、また軽量化により運搬が容易なため、さまざまな競技用ツールとしての利用範囲が拡大可能となる。
【発明を実施させるための最良の形態】
【０００６】以下本発明の実施の形態を説明する。
（イ）厚紙で出来た土俵台（３）の上部と下部を円状に切り抜く。
（ロ）土俵台フタ（８）を開け、スライドさせてセル状構造物（１）を入れ込む。
（ハ）土俵台（３）の上部、円状部分の切り口に、紐状の素材でかつ、円筒状で曲がりやすいゴム素材に切り込みが入った区切り線（４）をはめ込む。
（ニ）土俵台（３）の４角に４本の土俵足（２）を接着剤で取り付ける。
（ホ）セル状構造物（１）の下部に表示したいマークをのりで接着する
（ヘ）土俵台（３）上部に赤系色の塗装を施す。
本発明は、以上の構成によりなっている。
【実施例１】以下本発明の実施の形態を説明する。
（イ）厚紙で出来た土俵台（３）の上部を円状に切り抜き、下部に収納部を留める、差し留め穴（１０）が中央になるようにして、同様に切り抜く。
（ロ）土俵台（３）の上部、円状部分の切り口に、区切り線（４）をはめ込む。
（ハ）土俵台フタ（８）を開け、スライドさせ差し留め穴（１０）へ誘引物、刺激物等の収納部（５）をはめ込む。
（ニ）土俵台フタ（８）を開け、厚みが薄めのセル状構造物（１）をスライドさせて誘引物、刺激物等の収納部（５）の上部に乗せるように置く。
（ホ）１枚の厚紙からなる４本の折り込み式土俵足（９）を折り目に沿って四角柱に折り込み４箇所ある土俵足挿入孔（１３）へそれぞれ、セル状構造物（１）を押し上げるようにしてはめ込む。
（ヘ）最後に誘引物、刺激物等つけ足し穴（１１）を鉛筆等の先端で作制する。
本発明は、以上の構成によりなっている。
【実施例２】以下本発明の実施の形態を説明する。
これは、実施例１の折り込み式土俵足（９）および土俵足挿入孔（１３）を除いたセル状構造物、誘引物内蔵土俵（１４）に、角度をつけるため補助具を足したものである。以下補助具である折りたたみ式角度調整器の形態について述べる。
（イ）アルファベットのＡの字の形になるようにまず、横棒（２１）と斜め棒（１９）の下方２箇所をネジ（１５）と調整ネジ（１６）で止める。上部は角度調整棒（２０）を中に挟み込み、斜め棒（１９）の２本を両脇に組み、合計３本を合わせて、ネジ（１５）と調整ネジ（１６）で止める。
（ロ）横棒（２１）の中央部背面と角度調整棒（２０）の前面にそれぞれフック（１７）を取り付け、フック（１７）からフック（１７）へ角度調整紐（１８）を取り付ける。
本発明は、以上の構成によりなっている。
【図面の簡単な説明】
【０００７】
【図１】本発明の斜視図
【図２】本発明の断面図
【図３】実施例１の箱の中にコンパクトにまとめられる場合
【図４】実施例１の底面部の構造を表す図（ａ）は下から見た場合の底面図。（ｂ）は折り込み式土俵足組立図  （ｃ）は折り込み式土俵足の折り込み前の図
【図５】実施例２のセル状構造物、誘引物内蔵土俵に補助具を使用し、角度をつけた場合の側面図
【図６】実施例２の角度をつける為の補助具の正面図
【図７】本発明の丸太に収納部を作成した時の使用状態を示す斜視図
【図８】本発明の収納部にライトを使った場合の使用状態を示す斜視図
【符号の説明】
【０００８】  １  セル状構造物
２  土俵足
３  土俵台
４  区切り線
５  誘引物、刺激物等の収納部
６  マーク
７  刺激物をライトにした場合、浮上したマーク
８  土俵台フタ
９  折り込み式土俵足
１０  差し留め穴
１１  誘引物、刺激物等つけ足し穴
１２  スポイト
１３  土俵足挿入孔
１４  セル状構造物と収納部内臓土俵
１５  ネジ
１６  調整ネジ
１７  フック
１８  角度調整紐
１９  斜め棒
２０  角度調整棒
２１  横棒
【図１】
2007021133.tif 000003
【図２】
2007021133.tif 000004
【図３】
2007021133.tif 000005
【図４】
2007021133.tif 000006
【図５】
2007021133.tif 000007
【図６】
2007021133.tif 000008
【図７】
2007021133.tif 000009
【図８】
2007021133.tif 000010
(57)【要約】【課題】  おむつを使用するほど頻繁ではないが、排尿に心配な方に失敗した時に処理が簡単にできイス、ソファー、床等を汚さないための座布団を提供すること。【解決手段】ダブル座布団を日常生活に取り入れることにより、排尿の失敗時における処理の問題、イス、ソファー、床等を汚さなくてすむことから安心して日常生活するうえで有効である。使い方も室内に問わず車椅子、ベビーカー、車での外出等多方面に適用が可能である。【選択図】図１
2007021139.tif 000002
【特許請求の範囲】
【請求項１】
入り口が２ヶ所ある座布団カバーの上部に吸水シート、下部にクッション材を入れたダブル座布団。
【請求項２】
吸水シートは吸水部分に厚みをもたせ，上部に不織布、下部に防水シート、不織布で挟み接着する。
【発明の詳細な説明】
【技術分野】
【０００１】  本発明はダブル座布団に関する。
【背景技術】
【０００２】  従来、尿漏れ対策としてパンツ、おむつ等身体につける商品は多種類ありますが、尿漏れした際に対応する商品は極端に少なく、生活空間にあって違和感のない商品が必要と考えられる。
【発明の開示】
【発明が解決しようとする課題】
【０００３】  尿漏れした時の処理を軽減することを目的とする。【０００４】  尿を吸収し更に外観が通常の座布団と同じである。
【課題を解決するための手段】
【０００５】  入り口が２ヶ所ある座布団カバーの上部に吸収シート、下部に洗えるクッション材をいれる。【０００６】  吸水シートは吸水部分に厚みを持たせ上部に不織布、下部に防水シート、不織布で挟み接着する。【０００７】  クッション材は洗える素材を使用する。
【発明の効果】
【０００８】  日常生活で使用する座布団を本発明のダブル座布団に変える事により、尿漏れした時にダブル座布団の上部の吸水シートに尿が吸水され床やイス、ソファー等に尿が漏れることを防ぐことができる。【０００９】  布地のダブル座布団の外観は普通の座布団と同じなので違和感なく使用できる。【００１０】  不織布のダブル座布団は吸水シート、カバー共使い捨てする事により外出（車、車椅子等）時に大変便利である。【００１１】  カバーの中が２つに分かれており吸水シートとクッション材がずれにくいのでクッション材に尿がしみることが少ない。
【発明を実施するための最良の形態】
【００１２】  ダブル座布団のカバーは上部の布を下部の布より折り返し分長くし、間に下部と同じ大きさの布を置き３枚重ねて縫い合わせる。上部の折り返し分に重ね接着テープ等で止める。【００１３】  ダブル座布団の上部に入れる吸水シートは吸水部分に厚みをもたせ上部に不織布、下部に防水シート、不織布で挟み接着する。
【図面の簡単な説明】
【００１４】
【図１】  ダブル座布団の外観を示す斜視図
【図２】  ダブル座布団カバーの外観を示す斜視図
【図３】  ダブル座布団の断面図
【図４】  吸水シートの断面図
【符号の説明】
【００１５】  １  しきり布
２  折り返し部分
３  接着テープ
４  吸収シート
５  クッション材
６  不織布
７  吸収剤
８  防水シート
【図１】
2007021139.tif 000003
【図２】
2007021139.tif 000004
【図３】
2007021139.tif 000005
【図４】
2007021139.tif 000006
(57)【要約】【目的】  手の指と指の間に幕を付けた手袋を使用する事により、水泳をする時水をつかみ易くし、泳ぎを楽しくする。手の指と指の間に網を付けた手袋を使用する事により、物を沢山掴める。【構成】  手袋の指と指の間に膜（１）を設け、その先端部に補強ひも（２）を設ける事を特徴とする。【選択図】    図１
2007021132.tif 000002
【特許請求の範囲】
【請求項１】
各指袋（１）の間に膜（２）を設けた手袋。
【請求項２】
各指袋（１）の間に網（３）を設けた手袋。
【請求項３】
各指サック（４）を扇状に間隔を空けて並べ、その間に膜（２）を設けた、手装着具。
【請求項４】
各指サック（４）を扇状に間隔を空けて並べ、その間に網（３）を設けた、手装着具。
【発明の詳細な説明】
【発明の詳細な説明】
【技術分野】
【０００１】  この発明は、手袋の指袋と指袋の間に膜、または網を設け、手に装着して使用するもの、並びに指サックと指サックの間に膜、または網を設けて手に装着して使用するものに関するものである。
【背景技術】
【０００２】（イ）従来の手袋は指袋と指袋の間が一本一本離れていて、隙間があった。
（ロ）従来の指サックは一本一本単独で指にかぶせて使用するものであった。
【発明が解決しようとする課題】
【０００３】  そのために、次のような欠点があった。
（イ）流動物を手で捕えるとき、指の間からこぼれて捉え難かった
（ロ）水泳の時、手で水を掻いても指の間の隙間から水が逃げて、推進力を得ることができ難かった。
（ハ）海であさりを取るとき、手では指の間からこぼれ落ちてしまい、少ししか掴むことができなかった。
（ニ）畑で茶の葉を摘むとき、一度には小量しか摘めず少し摘んでは籠に入れることを頻繁に繰り返さなければならないという煩わしさがあった。
本発明は、これらの欠点を解決するためになされたものである。
【課題を解決するための手段】
【０００４】（イ）手袋の各指袋（１）の間に膜（２）を設けた手袋。
（ロ）手袋の各指袋（１）の間に網（３）を設けた手袋。
（ハ）各指サック（４）を扇状に間隔を開けて並べ、その間に膜（２）を設けた手装着具。
（ニ）各指サック（４）を扇状に間隔を開けて並べ、その間に網（３）を設けた手装着具。
本発明は、以上の構成からなる手に装着するものである。
【発明を実施するための最良の形態】
【０００５】  以下、本発明の実施の形態について説明する。
（イ）手袋の各指袋（１）の間に手の指を自由に動かせるように膜（２）を設ける。
（ロ）膜（２）の端部に沿って適当な太さの補強紐（５）を付着する。【０００６】  本発明は、以上のような構造でこれを使用するときは、手袋に手を入れて、手を閉じると膜も閉じ、手を広げると、指と指の間の膜も広がり、泳ぐ時は、指を閉じて水の抵抗を受けないように前方へ手を水中に突っ込み、水を掻く時は指を広げ手の面積を大きくし水をよく捕えて後方へ押しやり、水掻のある蛙の手のように使用する。海で貝や海藻等をとるときも手で海水を掻いて潜る時に同様に使用し手を広げて膜を広げ貝や海藻を沢山手にとることができる。【０００７】  以下、他の実施例に付いて説明する。
（イ）指サックを扇状に間隔を空けて並べ、その間に膜を設けたものを手に装着して、膜の付いた手袋と同様に水泳補助用品として使用する。
（ロ）膜の代りに網を手袋の指袋と指袋の間に設け、手を広げ、あさりやしじみを捕れば網の間から砂や水は抜け出て貝のみ沢山手にとることができる。及びにさくらんぼや梅の実やきのこを収穫するとき、手を広げて指の間の網を広げ手の面積を大きくし沢山の実をこぼさず手に掴むことができる。
（ハ）指サックを扇状に間隔を空けて並べ、その間に網を設けたものを手に装着して、畑で茶の葉を摘むと指の間からこぼれ落ちず沢山手にとることができる
【発明の効果】
【０００８】（イ）指袋の間に膜を設けた手袋を使用すると、水掻のある蛙の手のようになり泳ぎや潜水に便利である。
（ロ）膜の付いた指サックを指にはめ、指を広げると、指と指の間の膜が広がり手で水を掻くと水をつかまえ易く、水泳の練習の補助具となる。
（ハ）指袋の間に網の付いた手袋に手を入れ、手を広げると、指と指の間の網が広がり手の面積が大きくなり果実などを沢山、手に掴むことができる。
【図面の簡単な説明】
【図１】  本発明の斜視図である。
【図２】  本発明の斜視図である。
【図３】  本発明の斜視図である。
【符号の説明】
１手袋
２指サック
３膜
４紐
５網
【図１】
2007021132.tif 000003
【図２】
2007021132.tif 000004
【図３】
2007021132.tif 000005
(57)【要約】      （修正有）【課題】清掃具類と洗剤などの容器を一体にし、ポンプ機能を付加させ、携帯に便利な清掃具を提供する。【解決手段】ブラシ、スポンジなどの清掃具１と洗剤などの容器を兼用した本体２からなる洗剤などの容器一体清掃具。【選択図】図１
2007021140.tif 000002
【特許請求の範囲】
【請求項１】
清掃具と洗剤などの容器を一体にした清掃具
【発明の詳細な説明】
【技術分野】
【０００１】本発明は、清掃具の形状に関する。
［背景技術］【０００２】従来の清掃時に用いる清掃具の形状は、清掃具単体の物である。
［発明の開示］
［発明が解決しようとする課題］【０００３】従来の技術によれば、清掃具（ブラシ・スポンジなど）と洗剤、ワックス等の容器が別個のものとなっており、そのため掃除、ワックスかけなどをする際は、清掃具であるブラシやスポンジなどと同時に、用途に応じ別容器に詰まっている洗剤やワックスなどを使用し行う。  たとえば、清掃具を片手に、洗剤類の容器をもう一方の手に持って行うか、もしくは、いちいち洗剤類の容器を必要に応じて手に取り作業するため不便で、作業効率も大変悪い。
そこで、この発明はこれらのことを解決することを課題とする。
［課題を解決するための手段］【０００４】以上の課題を解決するために、本発明は清掃具を洗剤類のなどの容器と一体とするものである。
［発明の効果］【０００５】本発明によれば、清掃具（ブラシ・スポンジなど）と洗剤やワックスなどの容器が一体となり使い勝手が良くなり、特に利便性がよくなり作業効率も向上し、より楽に清掃などの作業ができる。
［発明を実施するための最良の形態］【０００６】以下この発明の実施例について説明する。
図示の洗剤などの容器一体清掃具（ブラシ・スポンジなど）は、ブラシなどの直接清掃をする部分（１）と清掃具の本体（２）を洗剤などの容器兼用部分とし、さらに握りの部分（３）からなる。
この清掃具を使用するときは、本体の洗剤抽出ノブ（４）を押し、抽出口（５）から洗剤などを清掃対象につけて、清掃具（ブラシ・スポンジなど）の（１）で行う。
【図面の簡単な説明】
【０００７】［図１］  本発明の実施形態を示す全体図
【符号の説明】
【０００８】１  清掃具（ブラシ・スポンジなど）
２  洗剤などの容器を兼用とした清掃具の本体
３  握りの部分
４  洗剤などを抽出するポンプのノズル
５  洗剤などの抽出口
６  ポンプ全体
７  洗剤などの注入口
【図１】
2007021140.tif 000003
(57)【要約】【課題】  裏向いているラインストーンを、簡単に表向きにひっくり返すことができる。【解決手段】  シートや台の表面あるいは容器の底に、滑り止めのための小さな突起状の樹脂を具備したラインストーンひっくり返し具を使用することによって、裏向いているラインストーンを、簡単に表向きにひっくり返すことができる。【選択図】      図１
2007021135.tif 000002
【特許請求の範囲】
【請求項１】
シートや台の表面あるいは容器の底に滑り止めのための小さな突起状の樹脂を具備したラインストーンひっくり返し具。
【発明の詳細な説明】
【技術分野】
【０００１】  本発明は、裏向いているラインストーンを簡単に表向けにひっくり返すことができる、ラインストーンひっくり返し具に関する。
【背景技術】
【０００２】  ラインストーンはガラスやプラスチックなどで出来た模造宝石で、ネイルアートの装飾品として爪に貼ったり、携帯電話やバッグ、履物ほか、身の回りの物に貼って楽しんだりすることに利用されている。
このラインストーンには表と裏があり、何かに貼る際には表向きにしてから作業に取りかかることが一般的である。【０００３】  従来は裏向いたラインストーンを表向ける最、ピンセットでひっくり返したり、棒でかき回すようにしたりして、表向けにひっくり返していた。【０００４】  ラインストーンが、容器に入っている状態や容器から取り出して手元に置いた状態では、表向きのものと裏向きのものが混在しているため、ラインストーンを貼る作業をする際には、裏向きのものは表向きにひっくり返してから作業に取りかかる必要がある。
【発明の開示】
【発明が解決しようとする課題】
【０００５】  従来の、ピンセットや棒を使って裏向きのラインストーンを表向ける方法では、大変手間と時間がかかるという問題点があった。
【課題を解決するための手段】
【０００６】  本発明のラインストーンひっくり返し具は、シートや台の表面、あるいは容器の底に小さな突起状の樹脂を具備したものであり、その樹脂の摩擦による滑り止め効果によって裏向きのラインストーンを、簡単に早く表向きにひっくり返す性能を有する。
【発明の効果】
【０００７】  本発明のラインストーンひっくり返し具は、シートや台の表面、あるいは容器の底に小さな突起状の樹脂を具備する。
その突起状の樹脂の上に、ラインストーンを適量落とすと、裏向いたものと表向いたものが混在してちらばる。【０００８】  突起状の樹脂の上に乗った裏向いた状態のラインストーンを、細い棒の先端などで横から少し押してやると、ラインストーンは突起状の樹脂の摩擦によって引っかかり、簡単に表向きにひっくり返る。樹脂の形状が突起状になっているためラインストーンの側部がひっかかりやすく、そのためうまくひっくり返ってくれる。【０００９】また、本発明のラインストーンひっくり返し具は、ラインストーンに限らず、宝石、ビーズ、小さな金具や半導体その他の小さな物をひっくり返す際にも利用できる。
【発明を実施するための最良の形態】
【００１０】  本発明は、突起状の小さな樹脂を具備することを特長としている。
突起状の樹脂の材料は摩擦係数の高い素材を使う。例えば天然ゴムや合成ゴム、ウレタン樹脂やシリコン樹脂が適している。また、これらの樹脂以外にも、摩擦係数の高い樹脂であれば、それらを使うこともできる。【００１１】  この樹脂を小さなつぶ状にして、シートの表面や、容器の底に並べて固定する。
固定の方法は、接着剤、粘着剤、融着、穴を開けて差し込んだりネジ止めをしたりするなどの機械的な固定、あるいは樹脂自体が有する接着性能によって固定する。【００１２】  つぶの大きさは、０．２ｍｍ程度から１ｍｍ程度が適当であるが、それ以外の寸法でも良い。【００１３】  また、つぶの間隔は１ｍｍから２ｍｍ程度が適当であるが、それ以外の寸法でも良い。【００１４】  また、つぶの並ぶ状態は、規則的に縦横各１０列から２０列程度が適当であるが、それ以外の数でも良い。【００１５】  また、つぶの並ぶ状態は不規則でも良い。
【実施例１】
【００１６】  図１は本発明のラインストーンひっくり返し具を用いて、棒で裏向きのラインストーンを表向きにひっくり返しているところの一実施例の斜視図である。２の容器の底に突起状の小さな樹脂を付着させている。４の棒で３のラインストーンの横を押すことによって、ラインストーンが１の突起状の樹脂に引っかかりながらひっくり返っている途中の状態を示している。
この図で表している４の棒は、適当な大きさの棒を利用する。この棒の代わりに、適当な大きさの板も利用できる。【００１７】  図２はラインストーンをひっくり返している一実施例の斜視図である。４の棒で、裏向きになっている３のラインストーンの横を押し、ラインストーンが１の突起状の樹脂に引っかかりながらひっくり返っている途中の状態を示している。
１の突起状の樹脂は、容器の底、あるいはシートや台の表面に固定されている。
【図面の簡単な説明】
【００１８】
【図１】本発明のラインストーンをひっくり返している一実施例を示す斜視図である。
【図２】本発明のラインストーンをひっくり返している一実施例を示す、拡大した斜視図である。
【符号の説明】
【００１９】  １  突起状の樹脂
２  容器
３  ラインストーン
４  棒
【図１】
2007021135.tif 000003
【図２】
2007021135.tif 000004